(57)【要約】本発明は、少なくとも１つの送信器(600,601)及び受信器(700,701)を含む直交周波数分割マルチプレクシング(OFDM)送信システム(10)を使用してデジタルデータを通信する方法に係る。この方法は、送信器の動作モードを少なくとも１つのモードの中から選択するステップであって、各動作モードがペイロードデータ送信のための多数のアクティブなキャリアに関連しているようなステップと、前記送信器において前記選択された動作モードで記号インターリービングするために１組の記号インターリーバーから記号インターリーバーを選択するステップと、前記送信器において記号インターリービングをデータユニットのブロックに適用するステップと、前記インターリーブされたデータユニットを、前記選択された動作モードのアクティブなキャリアへとマッピングするステップと、前記インターリーブされたデータユニットを前記受信器で受信するステップと、前記受信器において前記データ送信に使用された前記記号インターリーバーを確認するステップと、前記受信器において前記確認された記号インターリーバーに対応するデインターリーバーを選択するステップと、前記受信器において前記選択されたデインターリーバーを使用して前記受信されたデータユニットをデインターリーブするステップと、を備えている。
2005536097.tif 000002
【特許請求の範囲】
【請求項１】
少なくとも１つの送信器(600,601)及び受信器(700,701)を含む直交周波数分割マルチプレクシング(OFDM)送信システム(10)を使用してデジタルデータを通信する方法において、
送信器の動作モードを少なくとも１つのモードの中から選択するステップであって、各動作モードがペイロードデータ送信のための多数のアクティブなキャリアに関連しているようなステップと、
前記送信器において前記選択された動作モードで記号インターリービングするために１組の記号インターリーバーから記号インターリーバーを選択するステップと、
前記送信器において記号インターリービングをデータユニットのブロックに適用するステップと、
前記インターリーブされたデータユニットを、前記選択された動作モードのアクティブなキャリアへとマッピングするステップと、
前記インターリーブされたデータユニットを前記受信器で受信するステップと、
前記受信器において前記データ送信に使用された前記記号インターリーバーを確認するステップと、
前記受信器において前記確認された記号インターリーバーに対応するデインターリーバーを選択するステップと、
前記受信器において前記選択されたデインターリーバーを使用して前記受信されたデータユニットをデインターリーブするステップと、
を備えた方法。
【請求項２】
前記記号インターリービングを適用する前記ブロックにおけるデータユニットの数は、前記選択されたモードにおけるアクティブなキャリアの数とは異なる請求項１に記載の方法。
【請求項３】
前記ブロックにおけるデータユニットの数及び前記選択されたモードにおけるアクティブなキャリアの数は、互いに整数倍である請求項２に記載の方法。
【請求項４】
前記ブロックにおけるデータユニットの数及び前記選択されたモードにおけるアクティブなキャリアの数は、互いに偶数整数倍である請求項３に記載の方法。
【請求項５】
前記ブロックにおけるデータユニットの数は、前記アクティブなキャリアの数より大きい請求項２から４のいずれかに記載の方法。
【請求項６】
前記ブロックにおけるデータユニットの数は、前記アクティブなキャリアの数の２倍、又は２の倍数倍である請求項５に記載の方法。
【請求項７】
前記ブロックにおけるデータユニットの数は、前記アクティブなキャリアの数より小さい請求項２から４のいずれかに記載の方法。
【請求項８】
前記アクティブなキャリアの数は、前記ブロックにおけるデータユニットの数の２倍、又は２の倍数倍である請求項７に記載の方法。
【請求項９】
前記選択された動作モードで記号インターリービングするために記号インターリーバーを選択する前記ステップは、希望のインターリービング深さに基づいて行なわれる請求項１又は２に記載の方法。
【請求項１０】
前記１組の記号インターリーバーは、少なくとも８Ｋモード記号インターリーバー及び２Ｋモード記号インターリーバーを備え、そしてＤＶＢ−Ｔ（デジタルビデオブロードキャスティング−テレストリアル）システムに対して少なくとも４Ｋ動作モードを選択できる請求項１又は２に記載の方法。
【請求項１１】
前記１組の記号インターリーバーは、少なくとも８Ｋモード記号インターリーバーを備え、そしてＤＶＢ−Ｔシステムに対して少なくとも２Ｋ動作モードを選択できる請求項１又は２に記載の方法。
【請求項１２】
前記データユニットは、１つ以上のＯＦＤＭ記号のデータユニットである請求項１から１１のいずれかに記載の方法。
【請求項１３】
前記デジタルデータ通信システムは、次のシステム、即ちＤＶＢ−Ｔ（デジタルビデオブロードキャスティング−テレストリアル）システム、ＩＳＤＢ−Ｔ（総合サービスデジタルブロードキャスティング−テレストリアル）システムの１つである請求項１から１２のいずれかに記載の方法。
【請求項１４】
前記データユニットは、次のもの、即ちブロードバンドデジタルテレビジョン送信、データキャスティング送信の１つの一部分を形成する請求項２から１３のいずれかに記載の方法。
【請求項１５】
直交周波数分割マルチプレクシング(OFDM)送信システムを使用してデジタルデータを通信するための送信器(600,601)であって、前記システムは１組の動作モードを有し、該組は少なくとも１つの動作モードを含み、各モードは、送信器から受信器(700,701)へペイロードデータを送信するのに使用される所定数のアクティブなキャリアに関連付けられ、前記送信器は、
記号インターリービングのための１組の記号インターリーバー(130)と、
データ送信のための動作モードを選択する手段と、
前記選択された動作モードで記号インターリービングするために１組の記号インターリーバーから記号インターリーバーを選択する手段と、
を備えた送信器。
【請求項１６】
前記１組の記号インターリーバー(130)は、前記送信器の内部インターリーバー(100)の一部分を形成する請求項１５に記載の送信器。
【請求項１７】
前記送信器(600)は、前記選択された記号インターリーバーを表わす情報をＯＦＤＭ受信器(700)へ送信するように構成される請求項１５又は１６のいずれかに記載の送信器。
【請求項１８】
前記選択された記号インターリーバーを表わす前記情報を搬送するように１つ以上のＴＰＳ（送信パラメータシグナリング）ビットが構成される請求項１７に記載の送信器。
【請求項１９】
直交周波数分割マルチプレクシング(OFDM)送信システムを使用してデジタルデータを通信するための受信器(700)であって、前記システムは１組の動作モードを有し、該組は少なくとも１つの動作モードを含み、各モードは、送信器(600)から受信器へデータユニットを送信するのに使用される所定数のアクティブなキャリアに関連付けられ、前記システムは、更に、送信器において記号インターリービングするのに使用されるべき１組の記号インターリーバー(130)を有し、前記受信器は、
インターリーブされたデータユニットを受信するための手段と、
データ送信に使用された前記記号インターリーバーを確認するための手段と、
前記送信器において前記記号インターリーバーでインターリーブされた受信データユニットをデインターリーブするための１組の記号デインターリーバーと、
前記確認された記号インターリーバーに対応する記号デインターリーバーを前記１組の記号デインターリーバーから選択するための手段と、
を備えた受信器。
【請求項２０】
前記受信器(700)は、使用した記号インターリーバーを表わす情報を受信するように構成される請求項１９に記載の受信器。
【請求項２１】
データ送信に使用された前記記号インターリーバーを確認するための前記手段からの出力は、確認された記号インターリーバーを表わす情報である請求項１９に記載の受信器。
【請求項２２】
前記受信器(700)は、次のもの、即ち固定受信器、移動受信器の一方である請求項１９から２１のいずれかに記載の受信器。
【請求項２３】
前記受信器(700)は、セルラー無線ネットワーク及び／又は固定ネットワークを通る戻りチャンネルのための手段を含む請求項１９から２１のいずれかに記載の受信器。
【請求項２４】
少なくとも１つの送信器(600,601)及び複数の受信器(700,701)を含む直交周波数分割マルチプレクシング(OFDM)送信システムを使用するデジタルデータ通信システムであって、該システムは１組の動作モードを有し、該組は少なくとも１つの動作モードを含み、各モードは、送信器から少なくとも１つの受信器へペイロードデータを送信するのに使用される所定数のアクティブなキャリアに関連付けられ、前記送信器は、その送信器においてデータユニットのブロックに対して記号インターリービングするのに使用される１組の記号インターリーバー(130)を有し、前記少なくとも１つの受信器は、その受信器において前記インターリーブされたデータユニットをデインターリーブするための１組の記号デインターリーバーを有し、前記システムは、更に、
前記送信器にあって、データ送信に使用されるべき動作モードを選択する手段と、
前記送信器にあって、前記選択された動作モードで記号インターリービングするための記号インターリーバーを選択する手段と、
前記送信器にあって、データユニットのブロックに記号インターリービングを適用する手段と、
前記少なくとも１つの受信器にあって、前記送信されたインターリーブされたデータユニットを受信する手段と、
前記少なくとも１つの受信器にあって、前記データ送信に使用された記号インターリーバーを確認する手段と、
前記少なくとも１つの受信器にあって、前記確認された記号インターリーバーに対応する記号デインターリーバーを１組の記号デインターリーバーから選択する手段と、
を備えたシステム。
【請求項２５】
異なる動作モードにおけるアクティブなキャリアの数の間の比は整数である請求項２３に記載のシステム。
【請求項２６】
異なる動作モードにおけるアクティブなキャリアの数の間の比は、２又は２の倍数である請求項２４に記載のシステム。
【請求項２７】
前記１組の記号インターリーバーにおける記号インターリーバーの数は、前記システムの動作モードの数より少ない請求項２３から２５のいずれかに記載のシステム。
【発明の詳細な説明】
【技術分野】
【０００１】
本発明は、インターリービング及びデインターリービングに係る。より詳細には、本発明は、直交周波数分割マルチプレクシング（ＯＦＤＭ）ベースのシステムにおける記号インターリービング及び記号デインターリービングに係る。
【背景技術】
【０００２】
送信器から複数の受信器へブロードバンドデジタル信号をブロードキャスト（或いはマルチキャスト又はユニキャスト）するのに、コード化直交周波数分割マルチプレクシング（ＣＯＦＤＭ）変調が使用されている。一例として、標準的なＥＴＳＩ（ヨーロピアン・テレコミュニケーションズ・スタンダード・インステュテュート）ＥＮ３００７４４（バージョン１．４．１）に定義されたＤＶＢ−Ｔ（デジタルビデオブロードキャスティング−テレストリアル）システムは、ＤＶＢ−Ｔ送信器から複数のＤＶＢ−Ｔ受信器へブロードバンドデジタルテレビジョン信号をブロードキャスト（又はマルチキャスト）するのにコード化直交周波数分割マルチプレクシング（ＣＯＦＤＭ）変調が使用されるシステムである。
【０００３】
一般に、デジタルデータ通信には、直交周波数分割マルチプレクシング（ＯＦＤＭ）が使用され、ＣＯＦＤＭは、その一例に過ぎない。
【０００４】
標準的な説明として、デジタルデータ（例えば、ＭＰＥＧ−２（ムービング・ピクチャー・エクスパーツ・グループ）コード化ビデオ、オーディオ及び／又はデータストリーム）が送信準備できる前に、それに複数のオペレーションがＤＶＢ−Ｔ送信器により適用される。これらのオペレーションは、とりわけ、リード・ソロモンエンコーダによる外部コード化、外部インターリービング（即ちコンボリューションインターリービング）、内部コード化（パンクチャード・コンボリューションコードに助けによる）、及び内部インターリービングを含む。
【０００５】
内部インターリービングは、ビット方向のインターリービングのための１組のビットインターリーバーの後に、記号インターリービングのための記号インターリーバーを含む内部インターリーバーにおいて実行される。内部インターリービングの目的は、基本的に、次々の／隣接するデジタルデータシーケンスに含まれた情報が、隣接キャリアにより送信されるのを終了することがないように、送信されるべきデジタルデータを再順序付けすることにより、エラー及び干渉に対するシステムの許容度を改善することである。このようにして、１つ又は幾つかのデータキャリアの周波数において時々生じるだけである干渉に、システムが提供する効率的なエラー修正で対処することができる。
【０００６】
ＤＶＢ−Ｔシステムでは、送信信号がフレームに編成される。各フレームは、ある巾を有し、６８個のＯＦＤＭ記号で構成される。各ＯＦＤＭ記号は、次いで、１組のキャリアで構成される。規格には、「２Ｋモード」及び「８Ｋモード」の２つのオペレーションモードの使用が規定されている。２Ｋモードでは、キャリアの数が１７０５であり、そして８Ｋモードでは、キャリアの数が６８１７である。しかしながら、２Ｋモードにおける全部で１７０５個のキャリアのうちの１５１２個のキャリアと、８Ｋモードにおける全部で６８１７個のキャリアのうちの６０４８個のキャリアだけが、デジタルデータ（即ちペイロード、有効データ）を実際に搬送する「アクティブ」なキャリアとして定義される。キャリアの残りは、ほとんど制御の目的である。特定の保護帯域を考慮する別のカウント方法を使用することにより、２０４８（２Ｋモード）又は８１９２（８Ｋモード）の全キャリア数が得られることに注意されたい。これらの数は、各々の場合に使用するＦＦＴ（ＩＦＦＴ）サイズに対応する（ＦＦＴ＝高速フーリエ変換、ＩＦＦＴ＝逆ＦＦＴ）。しかしながら、アクティブなキャリアの数は、依然として１５１２（２Ｋモード）又は６０４８（８Ｋモード）である。
【０００７】
デジタルデータ（ビットワード又はデータユニットとも称されるデータワード）をアクティブなキャリアにマッピングすることが、内部インターリーバーにおいて実行される。より詳細には、このタスクは、記号インターリーバーにより実行される。個別の「２Ｋ記号インターリーバー」が２Ｋモードに対して定義されており、そして「８Ｋ記号インターリーバー」が８Ｋモードに対して定義されている。２Ｋモードでは、２Ｋ記号インターリーバーが、１組のビットインターリーバーから到来する１５１２個のデータワード（即ち、１２６個のデータワードの１２グループであって、各データワードの長さｖは、使用する変調方法に基づいてｖ＝２、４又は６ビットである）を、１つの２ＫモードＯＦＤＭ記号の１５１２個のアクティブなキャリアにマップする。同様に、８Ｋモードでは、８Ｋ記号インターリーバーが、６０４８個のデータワード（１２６個のデータワードの４８グループ）を、１つの８ＫモードＯＦＤＭ記号の６０４８個のアクティブなキャリアにマップする。
【０００８】
近年、ＤＶＢ−Ｔシステムは、それが元々設計されたものでない状況、例えば、移動受信、に対して評価されている。又、ＩＰＤＣ（ＩＰ−データキャスティング（インターネットプロトコル））のようなシステムの新たな使用筋書きは、システムに対する異なる新たな要求を有する。既存のＤＶＢ−Ｔ  ８Ｋモードの使用は、おそらく、移動受信に対して充分に広いカバレージを与えるであろう。しかしながら、８Ｋモードで達成される移動性は、あまりに低く、即ち、例えば、１２０ｋｍ／ｈの速度のように高速で運転する乗物においては受信が成功しないことがある。一方、２Ｋモードは、充分な移動性を与える。しかしながら、２Ｋモードではベースステーションの高い密度が要求されることになる。というのは、いわゆる保護インターバル長さが、このモードにおける長い送信距離をサポートするに充分な長さではないからである。この問題に対して提案されている１つの妥協策は、新たなモード、即ち「４Ｋモード」を定義することである。
【発明の開示】
【発明が解決しようとする課題】
【０００９】
この提案された４Ｋモードの内部インターリービング、特に、記号インターリーバーについては、明らかな解決策は、３０２４個のデータワード（１２６個のデータワードの２４グループ）を、１つの４ＫモードＯＦＤＭ記号の３０２４個のアクティブなキャリアにマップする新たな「４Ｋ記号インターリーバー」を定義することである（アクティブなキャリアの数は、４Ｋモードでは３０２４になる見込みである）。しかしながら、この解決策は、当然、新たな４Ｋ記号インターリーバー（又はデインターリーバー）を各装置において実施しなければならないので、ＤＶＢ−Ｔ送信器、及び特に複数のＤＶＢ−Ｔ受信器において、より多くのスペースを必要とする。
【００１０】
上記欠点を克服するために、デジタルデータを通信する新規な方法及びシステムが要望されると共に、この新規な方法及びシステムを実施するための新規な形式の送信器及び受信器も要望される。
【課題を解決するための手段】
【００１１】
本発明の第１の態様によれば、少なくとも１つの送信器及び受信器を含む直交周波数分割マルチプレクシング（ＯＦＤＭ）送信システムを使用してデジタルデータを通信する方法において、
送信器の動作モードを少なくとも１つのモードの中から選択するステップであって、各動作モードがペイロードデータ送信のための多数のアクティブなキャリアに関連しているようなステップと、
前記送信器において前記選択された動作モードで記号インターリービングするために１組の記号インターリーバーから記号インターリーバーを選択するステップと、
前記送信器において記号インターリービングをデータユニットのブロックに適用するステップと、
前記インターリーブされたデータユニットを、前記選択された動作モードのアクティブなキャリアへとマッピングするステップと、
前記インターリーブされたデータユニットを前記受信器で受信するステップと、
前記受信器において前記データ送信に使用された前記記号インターリーバーを確認するステップと、
前記受信器において前記確認された記号インターリーバーに対応するデインターリーバーを選択するステップと、
前記受信器において前記選択されたデインターリーバーを使用して前記受信されたデータユニットをデインターリーブするステップと、
を備えた方法が提供される。
【００１２】
本発明は、動作モードと記号インターリーバーを互いに異なるように選択できるので、システムに対する異なる要求に基づいて異なるインターリーブ深さを与えることができる。従来は、固定の特定の記号インターリーバーが、常に、特定の動作モードで使用されるので、これは不可能であった。
【００１３】
本発明の第２の態様によれば、直交周波数分割マルチプレクシング（ＯＦＤＭ）送信システムを使用してデジタルデータを通信するための送信器であって、前記システムは１組の動作モードを有し、該組は少なくとも１つの動作モードを含み、各モードは、送信器から受信器へペイロードデータを送信するのに使用される所定数のアクティブなキャリアに関連付けられ、前記送信器は、
記号インターリービングのための１組の記号インターリーバーと、
データ送信のための動作モードを選択する手段と、
前記選択された動作モードで記号インターリービングするために１組の記号インターリーバーから記号インターリーバーを選択する手段と、
を備えた送信器が提供される。
【００１４】
本発明の第３の態様によれば、直交周波数分割マルチプレクシング（ＯＦＤＭ）送信システムを使用してデジタルデータを通信するための受信器であって、前記システムは１組の動作モードを有し、該組は少なくとも１つの動作モードを含み、各モードは、送信器から受信器へデータユニットを送信するのに使用される所定数のアクティブなキャリアに関連付けられ、前記システムは、更に、送信器において記号インターリービングするのに使用されるべき１組の記号インターリーバーを有し、前記受信器は、
インターリーブされたデータユニットを受信する手段と、
データ送信に使用された前記記号インターリーバーを確認する手段と、
前記送信器において前記記号インターリーバーでインターリーブされた受信データユニットをデインターリーブするための１組の記号デインターリーバーと、
前記確認された記号インターリーバーに対応する記号デインターリーバーを前記１組の記号デインターリーバーから選択する手段と、
を備えた受信器が提供される。
【００１５】
本発明の第４の態様によれば、少なくとも１つの送信器及び複数の受信器を含む直交周波数分割マルチプレクシング（ＯＦＤＭ）送信システムを使用するデジタルデータ通信システムであって、該システムは１組の動作モードを有し、該組は少なくとも１つの動作モードを含み、各モードは、送信器から少なくとも１つの受信器へペイロードデータを送信するのに使用される所定数のアクティブなキャリアに関連付けられ、前記送信器は、その送信器においてデータユニットのブロックに対して記号インターリービングするのに使用される１組の記号インターリーバーを有し、前記少なくとも１つの受信器は、その受信器において前記インターリーブされたデータユニットをデインターリーブするための１組の記号デインターリーバーを有し、前記システムは、更に、
前記送信器にあって、データ送信に使用されるべき動作モードを選択する手段と、
前記送信器にあって、前記選択された動作モードで記号インターリービングするための記号インターリーバーを選択する手段と、
前記送信器にあって、データユニットのブロックに記号インターリービングを適用する手段と、
前記少なくとも１つの受信器にあって、前記送信されたインターリーブされたデータユニットを受信する手段と、
前記少なくとも１つの受信器にあって、前記データ送信に使用された記号インターリーバーを確認する手段と、
前記少なくとも１つの受信器にあって、前記確認された記号インターリーバーに対応する記号デインターリーバーを１組の記号デインターリーバーから選択する手段と、
を備えたシステムが提供される。
【００１６】
本発明の第５の態様によれば、ブロックに基づく記号インターリービングをデータワードのようなデータユニットに適用し、前記データユニットを、ＯＦＤＭベースシステムの特定動作モードのアクティブなキャリアへとマッピングするための記号インターリーバーであって、一度にインターリーブされるべきデータユニットの数がブロックのサイズで決定されるような記号インターリーバーにおいて、前記特定モードにおけるアクティブなキャリアの数とは異なるブロックサイズを使用するように構成された記号インターリーバーが提供される。
【００１７】
従属請求項は、本発明の好ましい実施形態を包含する。本発明の特定の態様に関連して従属請求項に包含された要旨は、本発明の他の態様にも適用できる。
以下、添付図面を参照して、本発明の実施形態を一例として説明する。
【発明を実施するための最良の形態】
【００１８】
種々の実施形態の以下の説明において、本明細書の一部分を形成し且つ本発明が実施される種々の実施形態を一例として示す添付図面を参照する。本発明の範囲から逸脱せずに、他の実施形態も使用でき、且つ構造的及び機能的変更をなし得ることを理解されたい。
【００１９】
先ず、図８を参照すれば、デジタルデータを通信するシステム１０は、１つ以上の送信器６００、６０１から多数のエアインターフェイス経路１１、１２、１３、１４を経て１つ以上の受信器７００、７０１へデジタルデータを送信するように示されている。このシステム１０は、本発明の一実施形態に基づく直交周波数分割マルチプレクシング（ＯＦＤＭ）システムである。
【００２０】
図１は、ＤＶＢ−Ｔ規格ＥＴＳＩ  ＥＮ３００  ７４４（バージョン１．４．１）に規定された内部インターリーバー１００を示す。図１は、本発明の説明にも適用できる。内部インターリーバーは、ハードウェア又はソフトウェア或いはそれらの組み合わせのいずれでも実施できる。適当な半導体コンポーネントに対してハードウェア実施するのが好ましい。入力ストリームｘ0、ｘ1、ｘ2、・・・がデマルチプレクサ１１０においてｖ個のサブストリームへとデマルチプレクスされ、ここで、ｖは、１つの変調記号当りのビット数である。図１に例示するケースでは、使用する変調方法は、１つの変調記号当りのビット数が４（ｖ＝４）である１６ＱＡＭ（直角振幅変調）である。
【００２１】
ビットインターリービング（及びその後の記号インターリービング）は、ブロックに基づくもので、有用なデータ（ペイロード）のみに対して実行される。デマルチプレクサ１１０からの各サブストリームは、個別のビットインターリーバーにより、ビットインターリーバーごとに別々に定義されたインターリービングシーケンスの助けで処理される。サブストリームｂ0,0、ｂ0,1、・・・は、第１のビットインターリーバーＩ０へ搬送される。サブストリームｂ1,0、ｂ1,1、・・・は、第２のビットインターリーバーＩ１へ搬送される。サブストリームｂ2,0、ｂ2,1、・・・は、第３のビットインターリーバーＩ２へ搬送され、そしてサブストリームｂ3,0、ｂ3,1、・・・は、第４のビットインターリーバーＩ３へ搬送される。ビットインターリービングに使用されるブロックサイズは、１２６ビットである。それ故、サブストリームｂ0,0、ｂ0,1、・・・、ｂ1,0、ｂ1,1、・・・、ｂ2,0、ｂ2,1、・・・及びｂ3,0、ｂ3,1、・・・の各々は、１２６ビットで構成される。
【００２２】
第１ビットインターリーバーＩ０は、出力ビットストリームａ0,0、ａ0,1、・・・を発生する。第２ビットインターリーバーＩ１は、出力ビットストリームａ1,0、ａ1,1、・・・を発生する。第３ビットインターリーバーＩ２は、出力ビットストリームａ2,0、ａ2,1、・・・を発生し、そして第４ビットインターリーバーＩ３は、出力ビットストリームａ3,0、ａ3,1、・・・を発生する。これら出力ビット流ａ0,0、ａ0,1、・・・、ａ1,0、ａ1,1、・・・、ａ2,0、ａ2,1、・・・及びａ3,0、ａ3,1、・・・の各々は、１２６ビットで構成される。
【００２３】
ｖ個のビットインターリーバー（ここに例示するケースではｖ＝４）の出力ビットストリームは、記号インターリーバー１３０へ搬送される。これら出力ビットストリームは、データワードを形成するようにグループ編成され、ｖビット（ｖ＝４）の各データワードは、ビットインターリーバーの各々からの１ビットを有する。このようにして、ｖビットで各々構成された１２６個のデータワードが形成される。記号インターリーバー１３０は、これらのデータワードをインターリーブする。記号インターリーバーでは、データワードのビットがインターリーブされず、全データワードがインターリーブされることに注意されたい。２Ｋモードでは、前記規格に定義されたように、１２６個のデータワードの１２グループ（１２＊１２６＝１５１２）が、それらを、１つの２ＫモードＯＦＤＭ記号の１５１２個のアクティブなキャリアへとマッピングするためにインターリーブされる。従って、２Ｋ記号インターリーバーのブロックサイズは、１５１２個のデータワードである。同様に、８Ｋモードでは、１２６個のデータワードの４８グループ（４８＊１２６＝６０４８）が、それらを１つの８ＫモードＯＦＤＭ記号の６０４８個のアクティブなキャリアにマッピングするためにインターリーブされる。従って、８Ｋ記号インターリーバーのブロックサイズは、６０４８個のデータワードである。実施形態に基づき、異なるモード（２Ｋモード、８Ｋモード）の記号インターリーバーは、個別の記号インターリーバーコンポーネントとして実施されてもよいし、或いは単一の「結合」された記号インターリーバーへと一体化されてもよい。
【００２４】
記号インターリーバーでインターリーブされる上述した例えばデータワードのようなデータユニットの数と、インターリーブされたデータユニットが送信のためにマップされるところのアクティブなキャリアの数は、本発明の一実施形態では、互いに整数倍である。本発明の別の実施形態では、記号インターリーバーでインターリーブされるデータユニットの数と、インターリーブされたデータユニットがマップされるところのアクティブなキャリアの数は、互いに偶数倍である。記号インターリービングにおけるデータユニットの数、即ちブロックサイズは、データ送信に使用され且つインターリーブされたデータユニットがマップされるところのモードにおけるアクティブなキャリアの数より大きくてもよいし小さくてもよい。
【００２５】
記号インターリーバーは、出力ストリームＹ0、Ｙ1、・・・を発生し、ここで、Ｙ0は、第１の２Ｋ又は８ＫＯＦＤＭ記号に属するインターリーブされた１５１２（２Ｋモード）又は６０４８（８Ｋモード）個のデータワードのシーケンスを表わす。対応的に、Ｙ1は、第２のＯＦＤＭ記号のインターリーブされたデータワードを表わす。
【００２６】
図２は、ＤＶＢ−Ｔ規格の記号インターリービング原理を示す。明瞭化のために、図２は、簡単なケースしか示していないことに注意されたい。図２は、２つの部分に分割され、即ち上部は、記号インターリービングの前のデータワードＳn,kを示し、そして下部は、記号インターリービングの後のデータワードＳn,kを示す。インデックスｎは、当該ＯＦＤＭ記号の順序数を示し、そしてインデックスｋは、記号インターリービングの前のデータワードのシーケンス順序を示す。例えば、Ｓ0,5は、第１のＯＦＤＭ記号に属する第６番目の（インデックスの番号は、０からスタートする）データワードを指示する。
【００２７】
上述したように、実際のケースでは、１つのＯＦＤＭ記号に適合するデータワードの数は、１５１２（２Ｋモード）又は６０４８（８Ｋモード）である。しかしながら、図２の簡単なケースでは、図示された番号が１６だけである。これは、図面の技術的な理由によるものである。
【００２８】
第１のＯＦＤＭ記号に属するデータワードＳ0,0−Ｓ0,15は、互いにインターリーブされる。同様に、第２のＯＦＤＭ記号に属するデータワードＳ1,0−Ｓ1,15は、互いにインターリーブされ、等々となる。図２の下部は、インターリービングの結果の一例を示す。ＤＶＢ−Ｔ規格に基づく記号インターリービングのインターリービング深さは、１つのＯＦＤＭ記号に属するデータワードがその１つのＯＦＤＭ記号のエリアの内側でしかインターリーブされないので、ＯＦＤＭ記号１個分であることが明らかである。使用するブロックサイズは、１つのＯＦＤＭ記号に適合されるアクティブなキャリアの量と厳密に同じであるから、ここでは、異なるＯＦＤＭ記号に属するデータワード間で記号間インターリービングが行われない。
【００２９】
本発明の好ましい実施形態によれば、インターリービング深さが変更される。以下、３つの好ましい実施形態を説明する。第１の実施形態では、８Ｋ記号インターリービングが、ここに提案する４Ｋモードと一緒に使用される。第２の実施形態では、２Ｋ記号インターリービングが、ここに提案する４Ｋモードと一緒に使用される。第３の実施形態では、８Ｋ記号インターリービングが、２Ｋモードと一緒に使用される。
【００３０】
図３は、本発明の第１の好ましい実施形態に基づく記号インターリービングを示す。この場合も、明瞭化のために、図３は、簡単なケースしか示していないことに注意されたい。図３は、２つの部分に分割され、即ち、上部は、記号インターリービングの前のデータワードＳn,kを示し、そして下部は、記号インターリービングの後のデータワードＳn,kを示す。インデックスｎは、当該ＯＦＤＭ記号の順序数を示し、そしてインデックスｋは、記号インターリービングの前のデータワードのシーケンス順序を示す（インデックスの数は、０からスタートする）。又、図３（及びそれ以降の図４及び５）の上部は、ＯＦＤＭ記号と、ＯＦＤＭ記号に属するデータワードを予め示すが、ＯＦＤＭ記号は、実際には、送信器において後でのみ形成されることに注意されたい。しかしながら、明瞭化のために、ＯＦＤＭ記号という語は、この点について既に使用されている。より詳細には、「１つのＯＦＤＭ記号に属するデータワード」という語は、実際には、データの量、即ち１つのＯＦＤＭ記号に最終的に適合されるデータワードの数だけを意味する。
【００３１】
図３は、８Ｋ記号インターリーバーを４Ｋモードで使用する場合を示す。４Ｋモードが既存の２Ｋ及び８Ｋモードと同様に実施される場合には、４Ｋモードにおけるキャリアの数は３０２４である。従って、１つの４ＫモードＯＦＤＭ記号に適合されるデータワードの数も３０２４である。これは、１つの８ＫモードＯＦＤＭ記号に適合されるデータワードの数の丁度半分であると共に、１つの２ＫモードＯＦＤＭ記号に適合されるデータワードの数の２倍である。しかしながら、図３の簡単なケースでは、１つの４ＫモードＯＦＤＭ記号に適合されるデータワードの数は８に過ぎない。これは、図面の技術的な理由によるものである。
【００３２】
ここで、８Ｋ記号インターリーバー（そのブロックサイズ６０４８は、１つの４ＫモードＯＦＤＭ記号に適合されるデータワードの数の２倍である）を４Ｋモードで使用すると、１つの４ＫモードＯＦＤＭ記号に適合されるデータワードの数の２倍が、８Ｋ記号インターリーバールールに基づき一度にインターリーブされる。図３の項では、第１の１６個のデータワードＳ0,0−Ｓ1,7が互いにインターリーブされる。これらデータワードのうち、第１の８個のデータワードＳ0,0−Ｓ0,7は、第１の４ＫのＯＦＤＭ記号に属し、そして次の８個のデータワードＳ1,0−Ｓ1,7は、第２の４ＫのＯＦＤＭ記号に属する。同様に、第３及び第４のＯＦＤＭ記号に属するデータワードＳ2,0−Ｓ3,7が互いにインターリーブされ、等々となる。
【００３３】
図３の下部は、インターリービング結果の一例を示す。第１の好ましい実施形態による記号インターリービングのインターリービング深さは、１つの４ＫモードＯＦＤＭ記号に適合されるデータワードが２つ（４Ｋモード）のＯＦＤＭ記号のエリアでインターリーブされるので、２個（４Ｋモード）のＯＦＤＭ記号となることが明らかである。従って、８Ｋモード記号インターリーバー（そのブロックサイズ６０４８は、１つの４ＫモードＯＦＤＭ記号に適合されるデータワードの数の２倍である）を４Ｋモードで使用すると、２つの隣接する４ＫモードＯＦＤＭ記号に属するデータワード間で記号間インターリービングが実行される。
【００３４】
記号インターリービングが２つ以上のＯＦＤＭ記号をカバーすることで、システムの能力を、チャンネルにおけるインパルス状の干渉及び急激な変化（動的）に対処するように改善する。又、既存の８Ｋモード記号インターリーバーを４Ｋモードで使用する場合、４Ｋモード用の新たな記号インターリーバーを定義する必要が省かれる。これは、余分なインターリーバー（又はデインターリーバー）に対して新たな回路が必要とされないので、ＤＶＢ−Ｔ送信及び特に複数のＤＶＢ−Ｔ受信器の両方においてスペースの節約となる。
【００３５】
図４は、本発明の第２の好ましい実施形態に基づく記号インターリービングを示す。この場合も、明瞭化の理由で、図４は、簡単なケースしか示していないことに注意されたい。図４は、２つの部分に分割され、即ち、上部は、記号インターリービングの前のデータワードＳn,kを示し、そして下部は、記号インターリービングの後のデータワードＳn,kを示す。インデックスｎは、当該ＯＦＤＭ記号の順序数を示し、そしてインデックスｋは、記号インターリービングの前のデータワードのシーケンス順序を示す（インデックスの数は、０からスタートする）。
【００３６】
図４は、２Ｋモード記号インターリーバーを４Ｋモードで使用する場合を示す。前記で述べたように、１つの４ＫモードＯＦＤＭ記号に適合されるデータワードの数は３０２４である。しかしながら、図４の簡単化されたケースでは、１つの４ＫモードＯＦＤＭ記号に適合されるデータワードの数は８に過ぎない。これは、図面の技術的理由によるものである。
【００３７】
ここで、２Ｋモード記号インターリーバー（そのブロックサイズ１５１２は、１つの４ＫモードＯＦＤＭ記号に適合されるデータワードの数の半分である）を４Ｋモードで使用すると、１つの４ＫモードＯＦＤＭ記号に適合されるデータワードの数の半分が、２Ｋ記号インターリーバールールに基づき一度にインターリーブされる。図４の項では、第１の４個のデータワードＳ0,0−Ｓ0,3が互いにインターリーブされる。同様に、次の４個のデータワードＳ0,4−Ｓ0,7が互いにインターリーブされ、等々となる。
【００３８】
図４の下部は、インターリービング結果の一例を示す。第２の好ましい実施形態による記号インターリービングのインターリービング深さは、１つの４ＫモードＯＦＤＭ記号に属するデータワードの第１の半分及び第２の半分が独立してインターリーブされるので、半分（４Ｋモード）のＯＦＤＭ記号となることが明らかである。
【００３９】
８Ｋモード記号インターリーバーを４Ｋモードで使用する場合に比して２Ｋモード記号インターリーバーを４Ｋモードで使用する場合には、ＤＶＢ−Ｔ受信器における記号デインターリービングに関する利点を有する。ＤＶＢ−Ｔ受信器における記号デインターリービングは、８Ｋモード記号インターリーバーを４Ｋモードで使用することに関して、１つおきの受信４Ｋ  ＯＦＤＭ記号の始めにしかスタートできないが（８Ｋモード記号インターリーバーのブロックサイズが、１つの４ＫモードＯＦＤＭ記号に適合するデータワードの数の２倍であるために）、記号デインターリービングは、２Ｋモード記号インターリーバーを４Ｋモードで使用することに関して、各受信４Ｋ  ＯＦＤＭ記号の始めにスタートできる。このように、２Ｋモード記号インターリーバーを４Ｋモードで使用すると、短い遅延となる。
【００４０】
図５は、本発明の第３の好ましい実施形態に基づく記号インターリービングを示す。この場合も、明瞭化の理由で、図５は、簡単なケースしか示していないことに注意されたい。図５は、２つの部分に分割され、即ち、上部は、記号インターリービングの前のデータワードＳn,kを示し、そして下部は、記号インターリービングの後のデータワードＳn,kを示す。インデックスｎは、当該ＯＦＤＭ記号の順序数を示し、そしてインデックスｋは、記号インターリービングの前のデータワードのシーケンス順序を示す（インデックスの数は、０からスタートする）。
【００４１】
図５は、８Ｋ記号インターリーバーを２Ｋモードで使用する場合の実施形態を示す。上述したように、１つの２ＫモードＯＦＤＭ記号に適合されるデータワードの数は、１５１２である。しかしながら、図５の簡単なケースでは、図示された１つの２ＫモードＯＦＤＭ記号に適合されるデータワードの数は４に過ぎない。これは、図面の技術的な理由によるものである。
【００４２】
ここで、８Ｋモード記号インターリーバー（そのブロックサイズ６０４８は、１つの２ＫモードＯＦＤＭ記号に適合されるデータワードの数の４倍である）を２Ｋモードで使用すると、１つの２ＫモードＯＦＤＭ記号に適合されるデータワードの数の４倍が、８Ｋ記号インターリーバールールに基づき一度にインターリーブされる。図５の項では、第１の１６個のデータワードＳ0,0−Ｓ3,3が互いにインターリーブされる。これらデータワードの中で、第１の４個のデータワードＳ0,0−Ｓ0,3は、第１の２ＫモードＯＦＤＭ記号に属し、次の４個のデータワードＳ1,0−Ｓ1,3は、第２の２ＫモードＯＦＤＭ記号に属し、次の４個のデータワードＳ2,0−Ｓ2,3は、第３の２ＫモードＯＦＤＭ記号に属し、等々となる。同様に、第５、第６、第７及び第８のＯＦＤＭ記号に属するデータワードＳ4,0−Ｓ7,3も互いにインターリーブされ、等々となる。
【００４３】
図５の下部は、インターリービング結果の一例を示す。第３の好ましい実施形態による記号インターリービングのインターリービング深さは、１つの２ＫモードＯＦＤＭ記号に属するデータワードが４つの２ＫモードＯＦＤＭ記号のエリアにおいてインターリーブされるので、４つの４ＫモードＯＦＤＭ記号となることが明らかである。従って、８Ｋモード記号インターリーバーを２Ｋモードで使用するときには、４つの隣接する２ＫモードＯＦＤＭ記号に属するデータワード間で記号間インターリービングが実行される。
【００４４】
第１の好ましい実施形態に関連して述べたように、記号インターリービングが２つ以上のＯＦＤＭ記号をカバーすることで、システムの能力を、チャンネルにおけるインパルス状の干渉及び急激な変化（例えば、フェージング）に対処するように改善する。従って、８Ｋモード記号インターリーバーを４Ｋモードで使用すると、２Ｋモードの基本的に弱いインパルスノイズ許容度を助けることになる。この種の使用は、移動システムにおいて有用であり、２Ｋモードの高い移動性を、８Ｋモードのインパルスノイズに対する良好な許容度と組み合わせることができる。
【００４５】
図６は、本発明を実施するのに適したＤＶＢ−Ｔ送信器６００のブロック図である。ＤＶＢ−Ｔ送信器は、当業者に良く知られている。又、当業者であれば、ＤＶＢ−Ｔ送信器が図６に示す以外のブロックを備えてもよいことが明らかであろう。
【００４６】
ＤＶＢ−Ｔ送信器６００は、送信されるべきデジタルデータをリードソロモンエンコードする外部コーダー６１０を備えている。外部インターリーバー６２０は、デジタルデータに対してコンボリューションインターリービングを実行する。内部コーダー６３０は、パンクチャードコンボリューションコードの助けによりデジタルデータをコード化する。本発明に関連した内部インターリーバー１００のオペレーションは、上記に述べた。内部インターリーバー１００は、図１の内部インターリーバーに対応し、デマルチプレクサ１１０と、複数のビットインターリーバーと、１組の記号インターリーバー１３０とを備えている。１組の記号インターリーバーから１つを選択するために記号インターリーバーセレクタ手段１５０が設けられる。この記号インターリーバーセレクタ手段１５０は、内部インターリーバーに接続される。マッパー６４０は、選択されたＱＡＭコンステレーションに基づいてキャリアを変調する。本発明の実施形態では、アクティブなキャリアの数に関連したモードがモードセレクタ手段６４５を使用して選択される。フレーム適応ブロック６５０は、送信信号をフレームへと編成し、そしてそれらフレームに、ブロック６５５から受信したパイロット信号（散乱及び連続的）並びにＴＰＳ（送信パラメータシグナリング）キャリアを追加する。ＯＦＤＭ変調器６６０は、とりわけ、送信信号を周波数ドメインから時間ドメインへ変換するために逆高速フーリエ変換（ＩＦＦＴ）を実行する。保護インターバル挿入ブロック６７０は、各ＯＦＤＭ記号の始めに保護インターバルを挿入する。デジタル／アナログコンバータ６８０は、送信信号をデジタルドメインからアナログドメインへ変換する。フロントエンド６９０は、アンテナ（空中線）を経てＤＶＢ−Ｔ信号の送信を処理する。
【００４７】
ＤＶＢ−Ｔ送信器６００は、アクティブなキャリアの数（即ち１５１２、３０２４又は６０４８個のアクティブなキャリア）に対応する２つ以上の動作モード（即ち２Ｋモード、４Ｋモード又は８Ｋモード）で動作することができる。ＤＶＢ−Ｔ送信器６００は、使用可能なモード（使用可能なモードの数は１つ以上でよい）の中で動作モードを選択する手段６４５と、使用可能な記号インターリーバー１３０（即ち、例えば、２Ｋ、４Ｋ又は８Ｋ記号インターリーバー）の１つを選択する手段１５０とを備えている。又、送信器６００は、選択された記号インターリーバーの指示を送信器６００の送信信号に組み込むための手段を含んでもよい。内部インターリーバー１００内の使用可能な記号インターリーバーの中から記号インターリーバー１３０を選択することは、選択された記号インターリーバーが、選択された動作モードに関連される記号インターリーバーとは異なるように行うことができる。従って、この実施形態では、アクティブなキャリアの数に関連すると理解される動作モードと、一度にインターリーブされるべきデータワードの数を決定するブロックサイズとが互いに異なってもよい。
【００４８】
記号インターリーバーがどのモードで使用されるかに関わらず、残りのＤＶＢ−Ｔ送信器は、当該モードで要求されるように動作することに注意されたい。それ故、例えば、８Ｋモード記号インターリーバーが４Ｋモードで使用されるときには、４Ｋモードにおいて一度に通常実行されるデータワードの数に対して逆高速フーリエ変換が依然実行される。又、使用する記号インターリーバーは、ビット方向のインターリービングに何ら影響せず、即ちビット方向のインターリービングは、使用する記号インターリーバーに関わらず同じやり方で実行されることにも注意されたい。
【００４９】
ＤＶＢ−Ｔ送信器が送信するデジタルデータは、とりわけ、ＭＰＥＧ−２デコードされたブロードバンドデジタルテレビジョン信号、オーディオ信号、ＩＰデータキャスティングシステムのようなデータキャスティングシステムの信号、又はそれらの組み合わせでよい。
【００５０】
図７は、本発明を実施するのに適したＤＶＢ−Ｔ受信器７００のブロック図である。このＤＶＢ−Ｔ受信器は、当業者に良く知られている。又、当業者であれば、ＤＶＢ−Ｔ受信器７００は、図７に示す以外のブロックを含んでもよいことが明らかであろう。
【００５１】
ＤＶＢ−Ｔ受信器７００は、アンテナを経て送信ＤＶＢ−Ｔ信号を受信するフロントエンド７１０を備えている。アナログ／デジタルコンバータ７８０は、受信信号をアナログドメインからデジタルドメインへ変換する。ＯＦＤＭ復調器７６０は、とりわけ、受信信号を時間ドメインから周波数ドメインへ変換するために高速フーリエ変換（ＦＦＴ）を実行する。フレームデマルチプレクサ７５０は、受信ＯＦＤＭフレームをデマルチプレクスする。逆マッパー７４０は、ＤＶＢ−Ｔ送信器６００のマッパー６４０とは逆の動作を実行する。内部デインターリーバー２００は、内部インターリーバー１００とは逆の動作を実行する。従って、内部デインターリーバー２００は、１組の記号デインターリーバーの後にビットデインターリーバーが続くものを含む。制御ブロック７０１は、時間及び周波数同期、共通位相エラー修正、チャンネル推定、及び信頼性推定のために、フロントエンド７９０、アナログ／デジタルコンバータ７８０、ＯＦＤＭ復調器７６０、フレームデマルチプレクサ７５０、逆マッパー７４０及び内部デインターリーバー２００に接続される。本発明の一実施形態では、制御ブロック７０１は、それに接続された他のブロック７９０、７８０、７６０、７５０、７４０及び２００から情報を受信し、そしてその受信信号に基づいて、前記他のブロックにおけるデータ処理を制御するための制御信号を生成する。これらの動作は、送信信号に使用されたインターリーバーの確認と、それに対応するデインターリーバーの選択とを含む。従って、この実施形態では、制御ブロック７０１は、送信器において使用されたインターリーバーを確認するための手段、及び記号デインターリービングに使用可能な記号デインターリーバーの１つを選択するための手段として動作し、ここで、この選択は、送信端における選択された記号インターリーバーの前記指示に基づいて行なわれ、この指示は、ＤＶＢ−Ｔ受信器が受信する信号にＤＶＢ−Ｔ送信器６００が組み込ませたものである。内部デコーダー７３０、外部デインターリーバー７２０及び外部デコーダー７１０は、送信器６００の対応ブロック６３０、６２０及び６１０に対して逆の動作を実行する。送信デジタルデータがそのオリジナル形態で得られる前に、受信信号は、通常、図７に示されていないブロックで更に処理される。これらブロックは、デスクランブリング、ビデオ、オーディオ及び／又はデータエンコーディングを含んでもよい。
【００５２】
受信器は、例えば、セットトップボックスに取り付けられた固定のＤＶＢ−Ｔ受信器や、例えば、ハンドヘルド移動電話のような移動ハンドヘルド装置に一体化された移動ＤＶＢ−Ｔ受信器であってもよい。ブロードバンド受信に加えて、受信器は、とりわけ、ＧＳＭ、ＧＰＲＳ、ＷＬＡＮ、ＵＭＴＳ又は全ＩＰネットワークのようなセルラー無線ネットワークを通る戻りチャンネルを有してもよい。それとは別に又はそれに加えて、ＤＥＣＴ技術又は固定電話線の助けを伴う固定の戻りチャンネルを有してもよい。
【００５３】
図９に示す本発明の一実施形態では、ハンドヘルド移動電話８００は、ＯＦＤＭ受信のためのＤＶＢ−Ｔ受信器８０２と、従来の移動通信のための第２トランシーバー８０１とを有している。又、ハンドヘルド移動電話は、ディスプレイ８１０を有してもよい。ハンドヘルド移動電話のＤＶＢ−Ｔ受信器は、ＯＦＤＭ信号の送信に使用されるインターリーバーを確認するための手段と、１組のデインターリーバーと、確認されたインターリーバーに基づいてデインターリーバーを選択するための手段とを備えている。
【００５４】
本発明の実施形態に関連して以上に述べたように、動作モード（２Ｋ、４Ｋ又は８Ｋ）に対して元々設計されたもの以外の内部インターリーバー（特に記号インターリーバー）を使用することができる。本発明の実施形態は、複数の使用可能なモードから１つの動作モードを選択し、そしてその選択されたモードに使用するために複数の使用可能な記号インターリーバーから１つの記号インターリーバー（又は記号インターリーバーを含む内部インターリーバー）を選択する。換言すれば、この実施形態は、使用されるべき記号インターリーバーにいずれかの動作モードを与え、従って、異なるインターリービング深さを与える。以下のテーブルは、別の形態を示す。１Ｋ又は１６Ｋモードのような他のモードが定義される場合には、テーブルを拡張することができる。
2005536097.tif 000003
【００５５】
ＤＶＢ−Ｔ受信器では、記号及びビット方向のデインターリービングが内部デインターリーバー２００（図７）において実行される。
【００５６】
特定のモードに対して特に設計されたもの以外の記号インターリーバーが使用される場合には、使用するインターリーバーの情報を送信器から受信器へ転送し、受信器でその送信されたＯＦＤＭ記号を正しくデインターリーブすることができる。
【００５７】
１つの可能性は、使用する記号インターリーバーを、１つ以上のＴＰＳビットを使用して指示することである。この別の形態では、記号インターリーバーの選択が１つ以上のビットでコード化され、これらビットはＴＰＳビットの一部分を形成する。送信器（図６）では、ブロック６５０及び６５５がこれらビットを、使用する記号インターリーバーに基づいてセットする。受信器（図７）では、制御ブロック７０１及び内部デインターリーバーが受信ビットを適宜に解釈する。
【００５８】
別の可能性は、使用する記号インターリーバーをアプリケーション層において（又は少なくともプロトコルスタック内で物理層より上位のプロトコル層において）指示することである。
【００５９】
使用するインターリーブモード（記号インターリーバー）が全くシグナリングされないシステムでは、受信器は、本発明の一実施形態に基づき、デインターリービングモード（例えば、８Ｋモードデインターリービング）を試みることにより使用するインターリービングモードを検出し、そしてビットエラー率を測定することができる。得られたビットエラー率があまりに高い場合には、受信器は、正しいモードが見つかるまで別のデインターリービングモードを試みる。
【００６０】
更に、受信器は、インターリーブされた記号の位置情報を得なければならない。しかしながら、良く知られたＴＰＳ同期は、いずれのケースでも、接続の始めに実行されるので、これは、内部デインターリーバーにも同期を与える。
【００６１】
２Ｋ、４Ｋ及び８Ｋモードの記号インターリーバーの使用についてのみ説明したが、本発明は、これらのモードだけに限定されないことに注意されたい。又、本発明は、例えば、１Ｋモード、０．５Ｋモード又は１６Ｋモードのような他の考えられる動作モードにも使用できる。
【００６２】
以上、本発明の特定の実施形態を説明した。この説明において、ＯＦＤＭベースのシステムの一例としてＤＶＢ−Ｔシステムを使用したが、本発明は、日本のＩＳＤＢ−Ｔ（総合サービスデジタルブロードキャスティング−テレストリアル）システムのような別のＯＦＤＭベースのシステムにも適用できる。又、本発明の一実施形態において、１つの動作モードしかもたないが２つ以上の記号インターリーバーを有する送信器が使用されてもよいことに注意されたい。そのモードに対し希望のインターリーブ深さに基づいて適当な記号インターリーバーが選択されてもよい。
【００６３】
当業者であれば、本発明は、上述した実施形態の細部に限定されず、本発明の特徴から逸脱せずに同等の手段を使用して他のやり方で実施できることが明らかであろう。本発明の範囲は、特許請求の範囲のみによって規定される。
【図面の簡単な説明】
【００６４】
【図１】ＤＶＢ−Ｔ規格に基づく内部インターリーバーを示す図である。
【図２】ＤＶＢ−Ｔ規格の記号インターリービング原理を示す図である。
【図３】本発明の好ましい実施形態に基づく記号インターリービングを示す図である。
【図４】本発明の別の好ましい実施形態に基づく記号インターリービングを示す図である。
【図５】本発明の更に別の好ましい実施形態に基づく記号インターリービングを示す図である。
【図６】本発明を実施するのに適したＤＶＢ−Ｔ送信器のブロック図である。
【図７】本発明を実施するのに適したＤＶＢ−Ｔ受信器のブロック図である。
【図８】デジタルデータを通信するための本発明の実施形態によるシステムを示す図である。
【図９】本発明を実施するのに適した移動受信器を示す図である。
【図１】
2005536097.tif 000004
【図２】
2005536097.tif 000005
【図３】
2005536097.tif 000006
【図４】
2005536097.tif 000007
【図５】
2005536097.tif 000008
【図６】
2005536097.tif 000009
【図７】
2005536097.tif 000010
【図８】
2005536097.tif 000011
【図９】
2005536097.tif 000012
【国際調査報告】
2005536097.tif 000013
2005536097.tif 000014